(57)【要約】  ３つ以上の異なるサイズの使い捨てパンツ型吸収性物品（１）を備える製品のアレイであって、前記アレイは、複数の第１の使い捨てパンツ型吸収性物品を備える第１のパッケージと、複数の第２の使い捨てパンツ型吸収性物品を備える第２のパッケージと、複数の第３の使い捨てパンツ型吸収性物品を備える第３のパッケージと、を備え、前記第１の使い捨てパンツ型吸収性物品、前記第２の使い捨てパンツ型吸収性物品および前記第３の使い捨てパンツ型吸収性物品のそれぞれは、前方部分（３）および後方部分（４）を有するシャーシと、前記シャーシに取り付けられた吸収性本体（５）と、を備え、かつ長さ方向（ｙ）および幅方向（ｘ）を有し、前記第１の使い捨てパンツ型吸収性物品の前記前方部分および前記後方部分のサイズは、前記第２の使い捨てパンツ型吸収性物品の前記前方部分および前記後方部分のサイズより小さく、前記第３の使い捨てパンツ型吸収性物品の前記前方部分および前記後方部分のサイズは、前記第２の使い捨てパンツ型吸収性物品の前記前方部分および前記後方部分のサイズより大きく、前記前方部分および前記後方部分のそれぞれは、ウエスト縁部（７、８）と、一対のレッグ縁部（９、１０；１３、１４）と、一対の側縁部（１１、１２；１５、１６）と、を有し、前記使い捨てパンツ型吸収性物品が全く伸びきった状態にあるとき、前記長さ方向（ｙ）における前記前方部分の前記レッグ縁部と前記後方部分の前記レッグ縁部との間の距離（Ｋ）は、パッケージのアレイの全ての使い捨てパンツ型吸収性物品に対して共通であり、前記距離（Ｋ）は、前記側縁部のうちの１つによって測定される、製品のアレイを開示する。
2019536549.tif 000002
【特許請求の範囲】
【請求項１】
３つ以上の異なるサイズの使い捨てパンツ型吸収性物品（１）を備える製品のアレイであって、前記アレイは、
複数の第１の使い捨てパンツ型吸収性物品を備える第１のパッケージと、
複数の第２の使い捨てパンツ型吸収性物品を備える第２のパッケージと、
複数の第３の使い捨てパンツ型吸収性物品を備える第３のパッケージと、を備え、
前記第１の使い捨てパンツ型吸収性物品、前記第２の使い捨てパンツ型吸収性物品および前記第３の使い捨てパンツ型吸収性物品のそれぞれは、前方部分（３）および後方部分（４）を有するシャーシと、前記シャーシに取り付けられた吸収性本体（５）と、を備え、かつ長さ方向（ｙ）および幅方向（ｘ）を有し、
前記第１の使い捨てパンツ型吸収性物品の前記前方部分および前記後方部分のサイズは、前記第２の使い捨てパンツ型吸収性物品の前記前方部分および前記後方部分のサイズより小さく、
前記第３の使い捨てパンツ型吸収性物品の前記前方部分および前記後方部分のサイズは、前記第２の使い捨てパンツ型吸収性物品の前記前方部分および前記後方部分のサイズより大きく、前記前方部分および前記後方部分のそれぞれは、ウエスト縁部（７、８）と、一対のレッグ縁部（９、１０；１３、１４）と、一対の側縁部（１１、１２；１５、１６）と、を有し、前記使い捨てパンツ型吸収性物品が全く伸びきった状態にあるとき、前記長さ方向（ｙ）における前記前方部分の前記レッグ縁部と前記後方部分の前記レッグ縁部との間の距離（Ｋ）は、パッケージのアレイの全ての使い捨てパンツ型吸収性物品に対して共通であり、前記距離（Ｋ）は、前記側縁部のうちの１つによって測定される、製品のアレイ。
【請求項２】
前記使い捨てパンツ型吸収性物品が全く伸びきった状態にあるとき、前記長さ方向（ｙ）における前記後方部分の上に湾曲した弾性レッグ機構（２４）を固定するための接着層の範囲は、前記製品のアレイの全ての使い捨てパンツ型吸収性物品に対して共通である、請求項１に記載の製品のアレイ。
【請求項３】
前記使い捨てパンツ型吸収性物品が全く伸びきった状態にあるとき、前記第１の使い捨てパンツ型吸収性物品、前記第２の使い捨てパンツ型吸収性物品および前記第３の使い捨てパンツ型吸収性物品は、前記長さ方向（ｙ）において前記後方部分の上の湾曲した弾性レッグ機構（２４）の共通するピークからピークまでの距離（Ｃ）を有する、請求項１または２に記載の製品のアレイ。
【請求項４】
前記後方部分の前記弾性レッグ機構は、少なくとも部分的に前記後方部分の前記レッグ縁部に沿って走る経路に沿って延び、前記経路は、前記経路の少なくとも一部分にわたって前記幅方向に対して傾斜している、請求項１〜３のいずれか１項に記載の製品のアレイ。
【請求項５】
前記幅方向に対する前記後方部分の前記弾性レッグ機構の前記経路間の角度は、３〜４５度の範囲内、具体的には５〜３０度の範囲内、より具体的には５〜２０度の範囲内である、請求項１〜４のいずれか１項に記載の製品のアレイ。
【請求項６】
前記後方部分の前記弾性レッグ機構は、前記後方部分の前記側縁部から前記物品の縦方向中心線に向かって延びる、請求項１〜５のいずれか１項に記載の製品のアレイ。
【請求項７】
前記吸収性本体の長さ（Ｇ）方向（ｙ）および幅（Ｆ）方向（ｘ）における寸法は、前記製品のアレイの全ての使い捨てパンツ型吸収性物品に対して共通である、請求項１〜６のいずれか１項に記載の製品のアレイ。
【請求項８】
前記長さ方向における前記吸収性物品の横方向中心線と前記後方部分の中の前記吸収性本体の縁部との間の距離（Ｅ）は、前記製品のアレイの全ての使い捨てパンツ型吸収性物品で同一である、請求項１〜７のいずれか１項に記載の製品のアレイ。
【請求項９】
前記前方部分および前記後方部分は、少なくとも部分的にウエスト開口部および一対のレッグ開口部を定めるように対向する側縁部で互いに接合され、前記吸収性本体は、前記物品の股部分の大部分に位置している、請求項１〜８のいずれか１項に記載の製品のアレイ。
【請求項１０】
前記後方部分の前記弾性レッグ機構は、２から１０本の個別の弾性糸のセット、具体的には３から８本の個別の弾性糸のセット、またはより具体的には３から６本の個別の弾性糸のセットを備える、請求項１〜９のいずれか１項に記載の製品のアレイ。
【請求項１１】
前記個別の弾性糸は、略平行に位置しており、互いから離れている、請求項１０に記載の製品のアレイ。
【請求項１２】
前記弾性レッグ機構は、弾性バンドを備える、請求項１〜９のいずれか１項に記載の製品のアレイ。
【請求項１３】
少なくとも前記前方部分および／または前記後方部分は、広く弾性織物材料で作られ、前記弾性織物材料は、共に積層される少なくとも２つの織物材料の実質的な非弾性シートで作られ、前記少なくとも２つの織物材料のシートの間に挟まれる弾性機構を有し、前記弾性機構は、前記幅方向に伸縮性のある織物材料を提供するために、張力をかけた状態にある前記少なくとも２つのシートに前記幅方向で取り付けられる、請求項１〜１２のいずれか１項に記載の製品のアレイ。
【請求項１４】
前記弾性機構は、前記長さ方向および前記幅方向の両方に延びる弾性フィルムを備える、請求項１〜１３のいずれか１項に記載の製品のアレイ。
【請求項１５】
前記前方部分および前記後方部分は、前記吸収性本体を用いて相互に接続される個別の部分で作られる、請求項１〜１４のいずれか１項に記載の製品のアレイ。
【請求項１６】
前記後方部分の前記弾性レッグ機構は、前記後方部分の前記側縁部から前記物品の縦方向中心線（６）に向かって延びる、請求項１〜１５のいずれか１項に記載の製品のアレイ。
【請求項１７】
内部の前記使い捨てパンツ型吸収性物品のサイズを表示する外部マークが、パッケージの上に設けられる、請求項１〜１６のいずれか１項に記載の製品のアレイ。
【請求項１８】
使い捨てパンツ型吸収性物品は、パンツ型おむつまたは生理用パンツまたは失禁用パンツである、請求項１〜１７のいずれか１項に記載の製品のアレイ。
【発明の詳細な説明】
【技術分野】
【０００１】
本発明は、３つ以上の異なるサイズの使い捨てパンツ型吸収性物品を備える製品のアレイであって、前記アレイは、複数の第１の使い捨てパンツ型吸収性物品を備える第１のパッケージと、複数の第２の使い捨てパンツ型吸収性物品を備える第２のパッケージと、を備える製品のアレイに関する。
【背景技術】
【０００２】
使い捨て吸収性物品は、例えば失禁用ライナ、幼児用おむつおよび生理用ナプキンの形態で周知されている。このような吸収性物品の一般的な目的は、吸収性物品の使用の間、高いレベルの快適さと乾いた感覚を着用者に提供しながら、様々な種類の身体滲出物を吸収し、分配し、貯めることである。また、このような吸収性物品は、着用者がこのような身体滲出物によって衣類を汚すのを防ぐように構成されている。
【０００３】
失禁用物品の形態の吸収性物品は、着用者を尿漏れから守るために使用される。失禁用物品は、例えば幼児、子供または成人、男性ユーザまたは女性ユーザによる使用に適したパンツ型おむつ、生理用パンツまたは失禁用パンツとして構成することができる。また、失禁用物品は、着用されているときに、物品の中に放出されることを期待された排泄物を吸収するように適合された吸収能力を考慮して設計されている。失禁用物品は、失禁者が失禁によって生じるいかなる不便さもなく普通の生活を維持できるように、失禁者を支援するために使用される。
【０００４】
パンツ型失禁用物品の成人ユーザに関して、異なるサイズおよび形状の骨格（anatomy）に適合されたこのような物品に対する特別な要求がある。さらに、それらが通常の下着と似ているように設計された失禁用物品に対する要求がある。実際に、失禁用物品を使用する成人は、「おむつのような」ものであり、かさばった、不快な、魅力に欠けるものとして認識され、例えば、ユーザが失禁用物品の上にタイトな衣類を着用する場合、目立つことがある物品を使用するのに消極的なことがある。これは、かさばらず、従来の下着と似ている見た目と感触を有する失禁用物品を提供する要望があることを意味する。
【０００５】
また、様々なサイズの男性と女性の両方にとってスタイリッシュで魅力的なものであり、骨格と身体の輪郭に追従する失禁用物品を提供する要望がある。このようにして、より目立たない物品を着用者に提供することができる。
【０００６】
要約すると、フィット感、快適さおよび機能に関して最適な方法で適合することができる失禁用物品の詰め合わせまたはアレイが必要である。さらに、このような物品のアレイを製造するための効率的な製造方法が必要である。詳細には、例えば、あるサイズから別のサイズへの製造の移行の間、またその逆の場合も、製造プロセスの時間やコストのかかる調整または変更を回避する必要がある。
【発明の概要】
【発明が解決しようとする課題】
【０００７】
本発明の目的は、様々なサイズの男性ユーザおよび女性ユーザに適合され、快適さ、フィット感およびデザインといった要求に従うが、同時に製造するのに過度に時間やコストがかからない製品のアレイを提供することである。製品のアレイは、あるサイズから別のサイズへの製造の移行に迅速に適応することができる効率的な製造プロセスを用いて製造することができる。
【課題を解決するための手段】
【０００８】
３つ以上の異なるサイズの使い捨てパンツ型吸収性物品を備える製品のアレイであって、前記アレイは、複数の第１の使い捨てパンツ型吸収性物品を備える第１のパッケージと、複数の第２の使い捨てパンツ型吸収性物品を備える第２のパッケージと、複数の第３の使い捨てパンツ型吸収性物品を備える第３のパッケージと、を備え、前記第１の使い捨てパンツ型吸収性物品、前記第２の使い捨てパンツ型吸収性物品および前記第３の使い捨てパンツ型吸収性物品のそれぞれは、前方部分および後方部分を有するシャーシと、前記シャーシに取り付けられた吸収性本体と、を備え、かつ長さ方向および幅方向を有し、前記第１の使い捨てパンツ型吸収性物品の前記前方部分および前記後方部分のサイズは、前記第２の使い捨てパンツ型吸収性物品の前記前方部分および前記後方部分のサイズより小さく、前記第３の使い捨てパンツ型吸収性物品の前記前方部分および前記後方部分のサイズは、前記第２の使い捨てパンツ型吸収性物品の前記前方部分および前記後方部分のサイズより大きく、前記前方部分および前記後方部分のそれぞれは、ウエスト縁部と、一対のレッグ縁部と、一対の側縁部と、を有し、前記使い捨てパンツ型吸収性物品が全く伸びきった状態にあるとき、前記長さ方向における前記前方部分の前記レッグ縁部と前記後方部分の前記レッグ縁部との間の距離は、パッケージのアレイの全ての使い捨てパンツ型吸収性物品に対して共通であり、前記距離は、前記側縁部のうちの１つによって測定される、製品のアレイ。
【０００９】
本開示による製品のアレイは、それ自体が、本開示の製品のアレイに従って、製造プロセスをある使い捨てパンツ型おむつから別のサイズの使い捨てパンツ型おむつに移行するとき、調整ステップ全体を行う共通のいくつかの特徴を有する物品を備えるという事実に起因して特定の利点を提供する。同時に、この特徴を使い捨てパンツ型吸収性物品に対して共通に保つことによって、他の特徴を、優れた快適さ、フィット感および漏れ防止（leakage security）を提供することを制限することなく変えることができる。
【００１０】
製品のアレイの実施形態によれば、前記使い捨てパンツ型吸収性物品が全く伸びきった状態にあるとき、前記長さ方向における前記後方部分の上に湾曲した弾性レッグ機構を固定するための接着層の範囲は、前記製品のアレイの全ての使い捨てパンツ型吸収性物品に対して共通である。これは、ある物品サイズと別の物品サイズとの製造間の移行を時間のかかる移行を回避することによって簡単に実施できるように製造プロセスを実施でき、さらに製造プロセスが快適さ、フィット感および漏れ防止をユーザに様々な形状およびサイズで提供する製品の製造を可能にすることを意味する。
【００１１】
製品のアレイの実施形態によれば、前記使い捨てパンツ型吸収性物品が全く伸びきった状態にあるとき、前記第１の使い捨てパンツ型吸収性物品、前記第２の使い捨てパンツ型吸収性物品および前記第３の使い捨てパンツ型吸収性物品は、前記長さ方向において前記後方部分の上の湾曲した弾性レッグ機構の共通するピークからピークまでの距離（Ｃ）を有する。開示する製品のアレイの目的は、上記の特徴を製品に対して共通に保つことによって達成することができ、さらに、快適さ、フィット感および漏れ防止に関する優れた特性をユーザに様々な形状およびサイズで提供することができることを見出した。
【００１２】
製品のアレイの実施形態によれば、少なくとも部分的に前記後方部分の前記レッグ縁部に沿って走る経路に沿って延びる前記後方部分の前記弾性レッグ機構を有し、前記経路は、前記経路の少なくとも一部分にわたって前記幅方向に対して傾斜している。
【００１３】
製品のアレイのさらなる実施形態によれば、前記幅方向に対する前記後方部分の前記弾性レッグ機構の前記経路間の角度は、３〜４５度の範囲内、具体的には５〜３０度の範囲内、より具体的には５〜２０度の範囲内である。
【００１４】
製品のアレイの実施形態によれば、前記後方部分の前記弾性レッグ機構は、前記後方部分の前記側縁部から前記物品の縦方向中心線に向かって延びる。
【００１５】
さらに、製品のアレイの実施形態に従って、前記吸収性本体の長さ（Ｇ）方向および幅（Ｆ）方向における寸法は、前記製品のアレイの全ての使い捨てパンツ型吸収性物品に対して共通である。
【００１６】
製品のアレイの実施形態に従って、前記長さ方向における前記吸収性物品の横方向中心線と前記後方部分の中の前記吸収性本体の縁部との間の距離は、前記製品のアレイの全ての使い捨てパンツ型吸収性物品で同一である。
【００１７】
先行する請求項のいずれか１項に記載の製品のアレイであって、前記前方部分および前記後方部分は、少なくとも部分的にウエスト開口部および一対のレッグ開口部を定めるように対向する側縁部で互いに接合され、前記吸収性本体は、前記物品の股部分の大部分に位置している。
【００１８】
少なくとも製品のアレイの一実施形態では、前記後方部分の前記弾性レッグ機構は、２から１０本の個別の弾性糸のセット、具体的には３から８本の個別の弾性糸のセット、またはより具体的には３から６本の個別の弾性糸のセットを備える。実施形態には、適切な本数の追加の糸は、最も内部の糸を相互に同じ距離に保つことによってより大きいサイズに適用することができ、上記の適切な本数の追加の糸は、上記の適切な本数の追加の糸をアクティブ化する（activating）ことによってのみ、ウエスト縁部により近づき、ウエスト縁部の輪郭の一般的な方向に追従するように適用することができるという特別な利点がある。適切には、前記個別の弾性糸は、略平行に位置しており、互いから離れている。代替的には、前記弾性レッグ機構は、弾性バンドを備える。
【００１９】
製品のアレイの１つの代替的な実施形態によれば、少なくとも前記前方部分および／または前記後方部分は、広く弾性織物材料で作られ、前記弾性織物材料は、共に積層される少なくとも２つの織物材料の実質的な非弾性シートで作られ、前記少なくとも２つの織物材料のシートの間に挟まれる弾性機構を有し、前記弾性機構は、前記幅方向に伸縮性のある織物材料を提供するために、張力をかけた状態にある前記少なくとも２つのシートに前記幅方向で取り付けられる。
【００２０】
製品のアレイの実施形態によれば、前記弾性機構は、前記長さ方向および前記幅方向の両方に延びる弾性フィルムを備える。
【００２１】
製品のアレイのさらに別の実施形態によれば、前記前方部分および前記後方部分は、前記吸収性本体を用いて相互に接続される個別の部分で作られる。
【００２２】
製品のアレイのさらに別の実施形態によれば、前記後方部分の前記弾性レッグ機構は、前記後方部分の前記側縁部から前記物品の縦方向中心線に向かって延びる。
製品のアレイの実施形態によれば、内部の前記使い捨てパンツ型吸収性物品のサイズを表示する外部マークが、パッケージの上に設けられる。
【００２３】
より具体的には、製品のアレイは、使い捨てパンツ型おむつまたは生理用パンツまたは失禁用パンツからなる群から選ばれる。さらに、上述した本発明の目的は、使い捨てパンツ型吸収性物品のアレイを製造する方法を用いて達成される。
【００２４】
添付の図面に示す図を参照して、本発明を以下により詳細に説明する。
【図面の簡単な説明】
【００２５】
【図１】本開示による吸収性物品の斜視正面図を示す。
【図２】吸収性物品の代替的な実施形態の斜視正面図を示す。
【図３】本開示による吸収性物品のための製造プロセスの概略図を示す。
【図４】吸収性物品が全く伸びきった状態にあるときの本開示による吸収性物品の実施形態の平面図を示す。
【図５ａ】吸収性物品が全く伸びきった状態にあるときの本開示による製品のアレイの実施形態の平面図を示す。
【図５ｂ】吸収性物品が全く伸びきった状態にあるときの本開示による製品のアレイの実施形態の平面図を示す。
【図５ｃ】吸収性物品が全く伸びきった状態にあるときの本開示による製品のアレイの実施形態の平面図を示す。
【図６】図２の吸収性物品の平面図である。
【発明を実施するための形態】
【００２６】
添付の図面を参照して、本開示の異なる態様を以下により完全に説明する。しかしながら、本明細書に開示する実施形態は、多くの異なる形態で実現することができ、本明細書に記載の態様に限定されると解釈されるべきではない。
【００２７】
図面の図１を参照すると、組み立てられ、すぐに使用できる状態で図示された使い捨てパンツ型吸収性物品１の実施形態が示されている。代替的な吸収性物品１を図２に示す。
【００２８】
本開示は、使い捨て吸収性物品のアレイに関し、図１に示す物品１は、具体的なモデルを説明することを意図されていないが、吸収性物品の一般原理を説明するために使用される。
【００２９】
図１および図２を参照すると、パンツ型吸収性物品１は、例えば幼児、子供または成人、男性ユーザまたは女性ユーザによる使用に適したパンツ型おむつ、生理用パンツまたは失禁用パンツの形態である。図１によるパンツ型吸収性物品１は、Ｈ字型デザインの吸収性物品を備え、図２は、前方部分３と、後方部分４と、前方部分３と後方部分４とを接続する股部分５と、物品の縦方向の中心線６と、を有する単一のシャーシ２を備える。吸収性物品１は、縦方向と、横方向と、厚さ方向と、を有する。
【００３０】
図１を参照すると、前方部分３は、ウエスト縁部７と、一対のレッグ縁部９、１０と、一対の側縁部１１、１２と、を有する。さらに、後方部分４は、ウエスト縁部８と、一対のレッグ縁部１３、１４と、一対の側縁部１５、１６と、を有する。
【００３１】
上述したように、吸収性物品１は、股部分５を備え、股部分５は、それ自体の大部分に位置している吸収性本体１７を備える。吸収性本体１７は、シャーシ２とは別々に製造され、適切な製造ステップでシャーシ２に挿入され、固定されてもよい。このプロセスを以下でより詳細に説明する。
【００３２】
前方部分３の側縁部１１、側縁部１２は、サイドシーム、面ファスナ、接着ファスナ（adhesive fasteners）等のような永久または再閉鎖可能な（re-closable）側方接続部１８、側方接続部１９を用いて、少なくとも部分的にウエスト開口部２０および一対のレッグ開口部２１、２２を定めるために対向する後方部分４の側縁部１５、側縁部１６に取り付けられている。
【００３３】
弾性ウエスト部品２３の形態である第１の弾性要素は、少なくとも部分的に前方部分３および後方部分４の一部分を形成するウエスト縁部７、ウエスト縁部８に沿ってシャーシ２に固定されている。弾性ウエスト部品２３の目的は、吸収性物品１に物品を着用するユーザのウエストの周りの良好なフィット感を与えることである。弾性ウエスト部品２３は、ウエスト縁部７、ウエスト縁部８の比較的近くにウエスト開口部２０を囲んで固定されている。
【００３４】
さらに、弾性レッグ部品２４の形態である第２の弾性要素は、吸収性物品１に物品を着用するユーザのレッグの周りの良好なフィット感を与える目的で、少なくとも部分的に前方部分３のレッグ縁部９、レッグ縁部１０に沿ってシャーシ２に固定されている。弾性レッグ部品２４は、レッグ縁部９、１０、１３、１４の比較的近くに固定されている。
【００３５】
図４に詳細に示すように、弾性レッグ部品２４は前方部分３において直線を形成し、後方部分４において湾曲構造を有する。
【００３６】
さらに、第１の吸収性本体弾性体および第２の吸収性本体弾性体は、股部分５に沿って配置されている。第１の吸収性本体弾性体は、第１の股縁部２８に沿って配置されている。一方、第２の吸収性本体弾性体は、第２の股縁部２９に沿って配置されている。詳細には、第１の吸収性本体弾性体および第２の吸収性本体弾性体は、縦方向股縁部２８、縦方向股縁部２９の比較的近くに配置されている。同様に、図１および図２に示すように、弾性ウエスト部品２３および弾性レッグ部品２４もまた、それぞれウエスト縁部７、ウエスト縁部８およびレッグ縁部９、１０、１３、１４の比較的近くに配置されている。
【００３７】
弾性レッグ部品２４および弾性ウエスト部品２３がそれぞれウエスト縁部７、８およびレッグ縁部９、１０、１３、１４に近い位置に固定されている場合、上記の縁部に沿ってフリルが作られないように、非伸縮性の織物材料は、レッグ縁部およびウエスト縁部で利用することができない。レッグ縁部における大量の材料は、ユーザによって不快なものとして認識されかねず、物品が従来の下着と似ていないという印象をユーザに与えかねないので、これは有利である。
【００３８】
レッグ縁部９、レッグ縁部１０の近くに位置付けられる弾性レッグ機構２４を有することは、またユーザのレッグの形状に対応する改善されたフィット感を有する吸収性物品１をもたらすことができる。したがって、よりフリルの少ない袖口のような外観を有する前方部分３および後方部分４の伸縮性のレッグ縁部９、レッグ縁部１０を提供することが好ましく、それによって吸収性物品１に布下着とより似ている外観を与える。
【００３９】
さらに、図１および図２に示すように，吸収性物品１は、前方弾性部品３０と、後方弾性部品（図示しない）と、を備え、それらは、両方とも互いから特定の距離離れて略平行に物品１の周りに取り付けられた、すなわちユーザの腹部および背面の領域に取り付けられた多数の弾性糸を基礎としている。これらの弾性部品３０…の目的は、物品１の着用者にとって良好なフィット感および快適さに貢献することである。詳細には、弾性糸の構造は、物品１の男性ユーザおよび女性ユーザに向けた適切なフィット感および快適さの必要性に適合することができる。
【００４０】
この開示は、弾性糸の位置付け、また弾性糸の弾性特性は、簡便な製造を容易かつ可能にするために依然として多くの特徴を共通に保ちながら、それぞれ様々な骨格に個別にフィットするように構成された、後方弾性部品および前方弾性部品３０の構造を提供するように、個別に適合することができるという原理に基づいている。もっと正確に言えば、弾性糸の位置付けは、糸が、幾何学的感覚でアレイの中の吸収性物品に沿って置かれる方法および任意の２つの隣接する弾性糸の間の距離を参照する。
【００４１】
さらに、図３を参照して上述したように、弾性ウエスト部品２３および弾性レッグ部品２４を織物材料の縁部の近くに固定するプロセス、すなわちこの場合には、それぞれウエスト縁部７、ウエスト縁部８およびレッグ縁部９、１０、１３、１４の近くに固定するプロセスは、製造ラインの製造上の公差に起因して困難であることを留意されたい。物品の縁部に沿う、すなわちウエスト縁部、レッグ縁部および股縁部に沿う弾性要素の提供は、よくフィットした失禁用物品のような吸収性物品に貢献する。このような弾性要素には、通常、ウエスト縁部、レッグ縁部および２つの股縁部に沿って配置される多数の弾性糸が設けられている。
【００４２】
パンツ型吸収性物品の製造プロセスは、高速で運転し、このような完全に自動化された製造ラインは、特定の公差を有する必要がある。弾性部品の弾性糸が対応する縁部のあまりにも近くに位置付けられる場合、糸が実際に縁部の外側に置かれて位置付けられかねないというおそれがある。のりは、通常糸に塗布されるので、弾性糸が、誤って物品の実際の縁部の外側に位置付けられる場合、製造中断のおそれがある。
【００４３】
このような従来の方法では、吸収性物品１は、液体透過性のトップシート、すなわち物品１のユーザに対向することを意図されるシート、および液体不透過性のバックシート、すなわちユーザによって着用される衣服に対向するように置かれたシートを備える。
一般に、液体透過性のトップシート３２は、不織布材料を備えるか、または不織布材料からなる。トップシート材料は、さらにトウ繊維、多孔質発泡体、有孔プラスチックフィルムおよび同様の材料から構成することができる。トップシート材料として適した材料は、柔らかく皮膚に対して刺激の少ないものであるべきであり、体液、例えば尿または月経液によって直ちに浸透されるべきであり、低い再湿特性（rewetting properties）を示すべきである。
【００４４】
さらに、液体不透過性のバックシートは、例えばポリエチレンフィルムまたはポリプロピレンフィルムのような薄いプラスチックフィルム、液体不浸透性材料で被覆された不織布材料、液体浸透に耐える疎水性不織布材料またはプラスチックフィルムと不織布材料との積層体から構成されることができる。バックシート材料は、依然として液体がバックシート材料を通過するのを防ぎながら、蒸気を吸収性物品から逃がすことを可能にするように通気性を有することができる。
【００４５】
様々な実施形態によれば、バックシートを製造するために使用することができる材料には、薄くて可撓性のある流体不透過性のプラスチックフィルム、または流体不透過性の不織布材料、流体不透過性の発泡体および流体不透過性の積層体がある。
【００４６】
さらに、バックシートは、単一の層によって形成されており、代替的には、少なくとも１つの層が流体不透過性である多層構造、すなわち積層体によって形成することができる。さらに、バックシートは、任意選択的には、いずれかの方向に弾性を有することができる。さらなる実施形態によれば、バックシートは、通気性を有することができ、空気および蒸気がバックシートを通過できることを意味する。さらに、バックシートは、任意選択的には、不織布のような織物材料の外側の、衣服に対向する表面を有することができる。
【００４７】
吸収性コア１７は、セルロースフラッフパルプの繊維からなる単一の層によって形成することができる。代替的な実施形態によれば、吸収性コア１７は、当技術分野で知られた任意の適切な吸収性または流体吸収材料、例えば発泡体、繊維綿（fiber waddings）および同様の材料で構成することができる。
【００４８】
さらに、吸収性コア１７は、セルロースフラッフパルプと適切な量の超吸収性粒子との混合物から構成することができる。このような超吸収性材料は、吸収性物品の分野で周知であり、ハイドロゲルを形成する際に大量の流体を吸収することが可能な水膨潤性および水不溶性材料によって構成されている。通常の超吸収性材料は、それ自体の重量の少なくとも１０倍の流体を吸収することが可能である。
【００４９】
さらなる実施形態によれば、吸収性コア１７は、吸収性コアの特性を改善するための成分をさらに包含することができる。このような成分のいくつかの例は、当技術分野で知られているように、バインダ繊維、流体分散材料、流体捕捉材料（fluid acquisition material）等である。吸収性コア１７は、また均質構造とすることができ、または同一または異なる材料の積層体を有する積層構造とすることができる。吸収層は、均一の厚さを有してもよく、または層の異なる部分で厚さが異なっていてもよい。
【００５０】
トップシートおよびバックシートは、例えば接着、粘着または、熱または超音波による溶接によって、互いに接続することができる。トップシートおよび／またはバックシートは、接着、熱接合等のような当技術分野で既知の任意の方法によって吸収性本体にさらに取り付けることができる。 
【００５１】
実施形態によれば、前方部分３および後方部分４を形成する部分におけるトップシートおよびバックシートは、股部分５におけるトップシートおよびバックシートとは異なる種類とすることができる。後者の場合、吸収性物品１は股部分５において吸収特性を有さなければならないので、流体透過性のトップシートおよび流体不透過性のバックシート（上述したような）が適切である。しかしながら、前方部分３および後方部分４を形成する部分において、吸収性物品１のこれらの部分は、一般に吸収特性を有する必要がないので、トップシートおよびバックシートの両方は例えば液体不透過性であってもよい。
【００５２】
また、最初に述べたように、従来の下着と似ている、すなわち、通常の男性用下着および女性用下着に対応する見た目と感触を有し、かつ男性ユーザおよび女性ユーザに適合された吸収性物品を製造する要求がある。結果的に、例えば男性用物品から女性用物品への製造への移行の間に実質的に製造プロセスのいかなる時間やコストのかかる変更もなく、依然として効率的な製造プロセスを可能にしながら、それぞれ男性ユーザおよび女性ユーザに特化された、一方の性に特化した吸収性物品のアレイまたはセットを提供する要求がある。
【００５３】
上述したように、前方弾性部品および後方弾性部品を形成する少なくとも弾性糸の位置付けおよび弾性特性は、様々な骨格および吸収性製品に関するその他の要求に適合された物品を提供するために変えることができる。パンツ型吸収性物品１の製造ラインの例示的な実施形態を図３に概略的に図示する。織物材料の第１の連続シート３８は、第１のウェブ部３８ａおよび第２のウェブ部３８ｂを形成するように、長手方向に供給され、また分割される。第１のウェブ部３８ａは、吸収性物品１の前方部分３のためのバックシートの土台を形成する。一方、第２のウェブ部３８ｂは、後方部分４のためのバックシートの土台を形成する。
【００５４】
弾性材料の複数のストリップは、第１のウェブ部３８ａおよび第２のウェブ部３８ｂに張力をかけた状態で取り付けられる。もっと正確に言えば、弾性材料の第１のストリップ３９および第２のストリップ４０は、弾性ウエスト部品２３の土台を形成し、弾性材料の第３のストリップ４１および第４のストリップ４２は、弾性レッグ部品２４の土台を形成する。また、弾性材料の第５のストリップ４３および第６のストリップ４４は、それぞれ前方弾性部品３０および後方弾性部品３１の土台を形成する。
【００５５】
弾性材料のストリップ３９、４０、４１、４２、４３、４４は、織物材料の連続シート３８ａおよび連続シート３８ｂにのり付けられるか、またはその他の方法で固定することができ、上記のストリップは、図１および図２を参照して上述したように吸収性物品１の弾性ウェブ機構を形成することを意図されている。
【００５６】
次に、織物材料のさらなる連続シート４５は、第３のウェブ部４５ａおよび第４のウェブ部４５ｂを形成するために、長手方向に供給され、分割される。第３のウェブ部４５ａは、前方部分３のためのトップシートの土台を形成する。一方、第４のウェブ部４５ｂは、後方部分４のためのトップシートの土台を形成する。
【００５７】
第３のウェブ部４５ａおよび第４のウェブ部４５ｂは、第１のウェブ部３８ａと第３のウェブ部４５ａとの間、また第２のウェブ部３８ｂと第４のウェブ部４５ｂとの間に挟まれる弾性材料のストリップ３９、４０、４１、４２、４３、４４を有する積層された製品を形成するために、それぞれ第１のウェブ部３８ａおよび第２のウェブ部３８ｂに接合される。第２のシートは、超音波接合、溶接、接着、エンボス加工、機械的固定等によって互いに取り付けることができる。上述したウェブ部と弾性ストリップとの取り付けを、連続的なステップで行われるものとしてここでは説明するが、これらのステップは、典型的には単一のステップで行われる。
【００５８】
その吸収性コア１７を有する股部分５（図１参照）を形成するために、織物材料の第３の連続シート４６が供給され、股部分５のためのバックシートの土台を形成する。吸収性コア１７は、次いで第３の連続シート４６の上に置かれる。また、弾性材料の第７のストリップ４７および第８のストリップ４８も織物材料の第３のシート４６の上に置かれる。弾性材料の第７のストリップ４７は、第１の吸収性本体弾性体２５（図１および図２参照）の土台を形成する。一方、弾性材料の第８のストリップ４８は、第２の吸収性本体弾性体２６の土台を形成する。
【００５９】
次に、織物材料の第４の連続シート４９が供給され、第１のウェブ部３８ａ、第２のウェブ部３８ｂ、第３のウェブ部４５ａおよび第４のウェブ部４５ｂを参照して上述したものと似た方法で適切に第３の連続シート４６に接合される。このプロセスの間、吸収性コア１７だけでなく弾性材料の第７のストリップ４７および第８のストリップ４８も、上記の織物材料の第３の連続シート４６と上記の織物材料の第４の連続シート４９との間に挟まれる。
【００６０】
それぞれ製造プロセスを男性型物品および女性型物品に適合させるために、物品に含まれる適切な弾性材料（すなわち、弾性材料のストリップ３９、４０、４１、４２、４３、４４）を選択することによってそのプロセスを変更することができる。このような寸法、ブランド、弾性特性およびその他のパラメータに照らした弾性材料の選択は、製造プロセスにおいて、効率的な方法で、いかなる中断や時間のかかる変更がほとんどなく実施されなければならない。
【００６１】
折り畳み手順が、股部分５の縁部を折り畳むように、かつ股部分５の上に縁部３６および縁部３７を形成するように、次に実施される。この折り畳み工程を図３の矢印５０および矢印５１を用いて分かりやすく表示する。同様に、前方部分３および後方部分４の折り畳みを図３に矢印５３、矢印５４を用いて分かりやすく表示する。
【００６２】
さらなる製造ステップでは、織物材料の第３のシート４６、織物材料の第４のシート４９および吸収性コア１７を用いて形成されたウェブは、個別のピース５２に切断され、それぞれは、第１のウェブ部３８ａおよび第２のウェブ部３８ｂと第３のウェブ部４５ａおよび第４のウェブ部４５ｂとによって形成されたウェブに続いて取り付けられる上述した股部分５を形成する。この点について、股部分５は、前方部分３および後方部分４に橋渡しをするように、かつ完成した吸収性物品の土台を形成するように所定の距離に置かれる。図３に示すように、股部分５を形成するピース５２は、前方部分および後方部分を形成するウェブに対して横方向に置かれる。
【００６３】
股部分５は、超音波接合、溶接、接着、エンボス加工、機械的固定等のような任意の既知の固定技術を使用してシャーシに取り付けることができる。このようにして、当該物品１のために完成したシャーシが形成される。
【００６４】
次の製造ステップでは、レッグ開口部５５が、完成した吸収性物品のシャーシを形成する積層された織物材料から切り取られる。この切断は、２つの対向するローラを使用する圧延切断（rolling cutting）のような任意の種類の適切な切断装置（図３では図示しない）によって行うことができる。
【００６５】
次に、第２のウェブ部３８ｂおよび第４のウェブ部４５ｂは、第２のウェブ部３８ｂがシャーシのバックシートになるように、かつ第４のウェブ部４５ｂがシャーシのトップシートになるように折り畳まれて最終製品を形成する。この折り畳みを図３の矢印５６を用いて示す。例えば、サイドシームの溶接の後、製品の連続部品は、切断装置（図３では図示しない）を用いて個別の吸収性物品に切断される。
本開示による製品のアレイは、それ自体が、本開示の製品のアレイに従って、製造プロセスをある使い捨てパンツ型おむつから別のサイズの使い捨てパンツ型おむつに移行するとき、調整ステップ全体を行う共通のいくつかの特徴を有する物品を備えるという事実に起因して特定の利点を提供する。同時に、この特徴を使い捨てパンツ型吸収性物品に対して共通に保つことによって、他の特徴を、優れた快適さ、フィット感および漏れ防止を提供することを制限することなく変えることができる。
【００６６】
図４に図示するような製品１のアレイの実施形態によれば、使い捨てパンツ型吸収性物品が全く伸びきった状態にあるとき、長さ方向における後方部分４の上に湾曲した弾性レッグ機構２４を固定するための接着層の範囲（Ｅ）は、製品のアレイの全ての使い捨てパンツ型吸収性物品１に対して共通である。
全く伸びきった状態は、サイドシームを解放し、製品を広げて平らな表面の上に置くことによって達成することができる。
約４０〜４５Ｎを加えることは、製品の不織布材料が製品の形状および形態を維持しているときに、弾性体が閾値まで引き延ばされるという点で、製品を伸びきった状態にするだろう。吸収性物品に関するより多くの情報とデータは以下の通りである。
【００６７】
これは、ある物品サイズと別の物品サイズとの製造間の移行を時間のかかる移行を回避することによって簡単に実施できるように製造プロセスを実施でき、さらに製造プロセスが快適さ、フィット感および漏れ防止をユーザに様々な形状およびサイズで提供する製品の製造を可能にすることを意味する。
【００６８】
図４および、より明確には図５ａ〜５ｃに図示する実施形態によれば、使い捨てパンツ型吸収性物品が全く伸びきった状態にあるとき、第１の使い捨てパンツ型吸収性物品、第２の使い捨てパンツ型吸収性物品および第３の使い捨てパンツ型吸収性物品は、長さ方向において後方部分の上の湾曲した弾性レッグ機構の共通するピークからピークまでの距離（Ｃ）を有する。開示する製品のアレイの目的は、上記の特徴を製品に対して共通に保つことによって達成することができ、さらに、快適さ、フィット感および漏れ防止に関する優れた特性をユーザに様々な形状およびサイズで提供することができることを見出した。
【００６９】
製品のアレイの実施形態によれば、少なくとも部分的に後方部分のレッグ縁部に沿って走る経路に沿って延びる後方部分の弾性レッグ機構を有し、経路は、経路の少なくとも一部分にわたって幅方向に対して傾斜している。
【００７０】
実施形態によれば、様々なサイズの製品の製造間の移行が実施されなければならない製造プロセスは、ある物品に適した弾性糸を第２の物品に適したその他の弾性糸（その他の寸法または弾性特性を有する）に切り替えるだけで行うことができる。代替的には、糸の数をこのような工程の間に変更することができる。
【００７１】
製品のアレイの実施形態によれば、少なくとも部分的に後方部分のレッグ縁部に沿って走る経路に沿って延びる後方部分の弾性レッグ機構を有し、経路は、経路の少なくとも一部分にわたって幅方向に対して傾斜している。
【００７２】
製品のアレイのさらなる実施形態によれば、幅方向に対する後方部分の弾性レッグ機構の経路間の角度は、３〜４５度の範囲内、具体的には５〜３０度の範囲内、より具体的には５〜２０度の範囲内である。
【００７３】
製品のアレイの実施形態によれば、後方部分の弾性レッグ機構は、後方部分の側縁部から物品の縦方向中心線に向かって延びる。
【００７４】
さらに、製品のアレイの実施形態に従って、吸収性本体の長さ（Ｇ）方向および幅（Ｆ）方向における寸法は、製品のアレイの全ての使い捨てパンツ型吸収性物品に対して共通である。
【００７５】
製品のアレイの実施形態に従って、長さ方向における吸収性物品の横方向中心線と後方部分の中の吸収性本体の縁部との間の距離は、製品のアレイの全ての使い捨てパンツ型吸収性物品で同一である。
【００７６】
図６では、製品のアレイの製品の代替的な実施形態を開示する。前方部分および後方部分は、少なくとも部分的にウエスト開口部および一対のレッグ開口部を定めるように互いに接合されるか、または１つのシャーシによって形成され、次いで側縁部が閉鎖され、吸収性本体は、物品の股部分の大部分に位置している。得られた製品は、図２の実施形態と似ており、上記の実施形態に関する上記のセクションでより多く説明する。
【００７７】
少なくとも製品のアレイの一実施形態では、後方部分の弾性レッグ機構は、２から１０本の個別の弾性糸のセット、具体的には３から８本の個別の弾性糸のセット、またはより具体的には３から６本の個別の弾性糸のセットを備える。実施形態には、適切な本数の追加の糸は、最も内部の糸を相互に同じ距離に保つことによってより大きいサイズに適用することができ、上記の適切な本数の追加の糸は、上記の適切な本数の追加の糸をアクティブ化する（activating）ことによってのみ、ウエスト縁部により近づき、ウエスト縁部の輪郭の一般的な方向に追従するように適用することができるという特別な利点がある。適切には、個別の弾性糸は、略平行に位置しており、互いから離れている。代替的には、弾性レッグ機構は、弾性バンドを備える。
【００７８】
製品のアレイ（図示しない）の１つの代替的な実施形態によれば、少なくとも前方部分および／または後方部分は、広く弾性織物材料で作られ、弾性織物材料は、共に積層される少なくとも２つの織物材料の実質的な非弾性シートで作られ、少なくとも２つの織物材料のシートの間に挟まれる弾性機構を有し、弾性機構は、幅方向に伸縮性のある織物材料を提供するために、張力をかけた状態にある少なくとも２つのシートに幅方向で取り付けられる。製品のアレイの実施形態によれば、弾性機構は、長さ方向および幅方向の両方に延びる弾性フィルムを備える。製品のアレイのさらに別の実施形態によれば、後方部分の弾性レッグ機構は、後方部分の側縁部から物品の縦方向中心線に向かって延びる。製品のアレイ（図示しない）の実施形態によれば、内部の使い捨てパンツ型吸収性物品のサイズを表示する外部マークが、パッケージの上に設けられる。
【００７９】
本発明は、実施形態に限定されず、添付の特許請求の範囲内で変更することができる。例えば、本発明の原理は、任意の種類の衛生吸収性物品に等しく適用可能である。このような物品には、様々な種類の失禁用ライナおよびパッド、ならびに生理用ナプキン、生理用パッド、パンティライナまたはサポートパンティ（supporting panty）の内側に着用されるか保持する同様の製品がある。このような物品には、またテープファスナを有する幼児用おむつ、パンツ型おむつ、トレーニングパンツ、ベルト付きおむつまたは同様の使い捨て吸収性衣服がある。
【００８０】
特許請求の範囲に記載されている参照符号は、特許請求の範囲によって保護されている事項の範囲を限定するものと見なすべきではなく、それらの唯一の機能は、特許請求の範囲を理解しやすくすることである。
【００８１】
理解されるように、本開示は、添付の特許請求の範囲から逸脱することなく、様々な明白な点において変更が可能である。したがって、図面およびその説明は、本質的に例示的なものとみなされるべきであり、限定的なものとみなされるべきではない。本吸収性物品およびその構成要素ならびに方法は、開示された特定の形態に限定されることを意図していないことを理解されたい。むしろ、それらは特許請求の範囲内に含まれるすべての変更、均等物、および代替物を含むことを意図している。それらはさらに、開示された実施形態からの特徴およびそれらの変形を組み合わせることによって形成できる実施形態を含むことを意図している。
【符号の説明】
【００８２】
１  パンツ型吸収性物品
２  シャーシ
３  前方部分
４  後方部分
５  股部分
６  縦方向中心線
７  ウエスト縁部
８  ウエスト縁部
９  レッグ縁部
１０  レッグ縁部
１１  側縁部
１２  側縁部
１３  レッグ縁部
１４  レッグ縁部
１５  側縁部
１６  側縁部
１７  吸収性コア
１８  側方接続部
１９  側方接続部
２０  ウエスト開口部
２１  レッグ開口部
２２  レッグ開口部
２３  弾性ウエスト部品
２４  弾性レッグ部品
２５  第１の吸収性本体弾性体
２６  第２の吸収性本体弾性体
２８  縦方向股縁部／第１の股縁部
２９  縦方向股縁部／第２の股縁部
３０  前方弾性部品
３１  後方弾性部品
３２  トップシート
３６  縁部
３７  縁部
３８  第１の連続シート
３８ａ  第１のウェブ部
３８ｂ  第２のウェブ部
３９  第１のストリップ
４０  第２のストリップ
４１  第３のストリップ
４２  第４のストリップ
４３  第５のストリップ
４４  第６のストリップ
４５  さらなる連続シート
４５ａ  第３のウェブ部
４５ｂ  第４のウェブ部
４６  第３の連続シート
４７  第７のストリップ
４８  第８のストリップ
４９  第４の連続シート
５０  矢印
５１  矢印
５２  ピース
５３  矢印
５４  矢印
５５  レッグ開口部
５６  矢印
【図１】
2019536549.tif 000003
【図２】
2019536549.tif 000004
【図３】
2019536549.tif 000005
【図４】
2019536549.tif 000006
【図５Ａ−５Ｃ】
2019536549.tif 000007
【図６】
2019536549.tif 000008
【手続補正書】
【提出日】平成30年9月13日(2018.9.13)
【手続補正１】
【補正対象書類名】特許請求の範囲
【補正対象項目名】全文
【補正方法】変更
【補正の内容】
【特許請求の範囲】
【請求項１】
３つ以上の異なるサイズの成人ユーザのための使い捨てパンツ型吸収性物品（１）を備える製品のアレイであって、前記アレイは、
複数の第１の使い捨てパンツ型吸収性物品を備える第１のパッケージと、
複数の第２の使い捨てパンツ型吸収性物品を備える第２のパッケージと、
複数の第３の使い捨てパンツ型吸収性物品を備える第３のパッケージと、を備え、
前記第１の使い捨てパンツ型吸収性物品、前記第２の使い捨てパンツ型吸収性物品および前記第３の使い捨てパンツ型吸収性物品のそれぞれは、前方部分（３）および後方部分（４）を有するシャーシと、前記シャーシに取り付けられた吸収性本体（５）と、を備え、かつ長さ方向（ｙ）および幅方向（ｘ）を有し、
前記前方部分および前記後方部分は、前記吸収性本体を用いて相互に接続される個別の部分で作られ、
前記後方部分は、湾曲した弾性レッグ機構（２４）を備え、
前記第１の使い捨てパンツ型吸収性物品の前記前方部分および前記後方部分のサイズは、前記第２の使い捨てパンツ型吸収性物品の前記前方部分および前記後方部分のサイズより小さく、
前記第３の使い捨てパンツ型吸収性物品の前記前方部分および前記後方部分のサイズは、前記第２の使い捨てパンツ型吸収性物品の前記前方部分および前記後方部分のサイズより大きく、前記前方部分および前記後方部分のそれぞれは、ウエスト縁部（７、８）と、一対のレッグ縁部（９、１０；１３、１４）と、一対の側縁部（１１、１２；１５、１６）と、を有し、前記使い捨てパンツ型吸収性物品が全く伸びきった状態にあるとき、前記長さ方向（ｙ）における前記前方部分の前記レッグ縁部と前記後方部分の前記レッグ縁部との間の距離（Ｋ）は、パッケージのアレイの全ての使い捨てパンツ型吸収性物品に対して共通であり、前記距離（Ｋ）は、前記側縁部のうちの１つによって測定され、
前記使い捨てパンツ型吸収性物品が全く伸びきった状態にあるとき、前記長さ方向（ｙ）における前記後方部分の上に前記湾曲した弾性レッグ機構（２４）を固定するための接着層の範囲は、前記製品のアレイの全ての使い捨てパンツ型吸収性物品に対して共通であり、および／または
前記使い捨てパンツ型吸収性物品が全く伸びきった状態にあるとき、前記第１の使い捨てパンツ型吸収性物品、前記第２の使い捨てパンツ型吸収性物品および前記第３の使い捨てパンツ型吸収性物品は、前記長さ方向（ｙ）において前記後方部分の上の前記湾曲した弾性レッグ機構（２４）の共通するピークからピークまでの距離（Ｃ）を有する、製品のアレイ。
【請求項２】
前記後方部分の前記弾性レッグ機構は、少なくとも部分的に前記後方部分の前記レッグ縁部に沿って走る経路に沿って延び、前記経路は、前記経路の少なくとも一部分にわたって前記幅方向に対して傾斜している、請求項１に記載の製品のアレイ。
【請求項３】
前記幅方向に対する前記後方部分の前記弾性レッグ機構の前記経路間の角度は、３〜４５度の範囲内、具体的には５〜３０度の範囲内、より具体的には５〜２０度の範囲内である、請求項２に記載の製品のアレイ。
【請求項４】
前記後方部分の前記弾性レッグ機構は、前記後方部分の前記側縁部から前記物品の縦方向中心線に向かって延びる、請求項１〜３のいずれか１項に記載の製品のアレイ。
【請求項５】
前記吸収性本体の長さ（Ｇ）方向（ｙ）および幅（Ｆ）方向（ｘ）における寸法は、前記製品のアレイの全ての使い捨てパンツ型吸収性物品に対して共通である、請求項１〜４のいずれか１項に記載の製品のアレイ。
【請求項６】
前記長さ方向における前記吸収性物品の横方向中心線と前記後方部分の中の前記吸収性本体の縁部との間の距離（Ｅ）は、前記製品のアレイの全ての使い捨てパンツ型吸収性物品で同一である、請求項１〜５のいずれか１項に記載の製品のアレイ。
【請求項７】
前記前方部分および前記後方部分は、少なくとも部分的にウエスト開口部および一対のレッグ開口部を定めるように対向する側縁部で互いに接合され、前記吸収性本体は、前記物品の股部分の大部分に位置している、請求項１〜６のいずれか１項に記載の製品のアレイ。
【請求項８】
前記後方部分の前記弾性レッグ機構は、２から１０本の個別の弾性糸のセット、具体的には３から８本の個別の弾性糸のセット、またはより具体的には３から６本の個別の弾性糸のセットを備える、請求項１〜７のいずれか１項に記載の製品のアレイ。
【請求項９】
前記個別の弾性糸は、略平行に位置しており、互いから離れている、請求項８に記載の製品のアレイ。
【請求項１０】
前記弾性レッグ機構は、弾性バンドを備える、請求項１〜７のいずれか１項に記載の製品のアレイ。
【請求項１１】
少なくとも前記前方部分および／または前記後方部分は、広く弾性織物材料で作られ、前記弾性織物材料は、共に積層される少なくとも２つの織物材料の実質的な非弾性シートで作られ、前記少なくとも２つの織物材料のシートの間に挟まれる弾性機構を有し、前記弾性機構は、前記幅方向に伸縮性のある織物材料を提供するために、張力をかけた状態にある前記少なくとも２つのシートに前記幅方向で取り付けられる、請求項１〜１０のいずれか１項に記載の製品のアレイ。
【請求項１２】
前記弾性機構は、前記長さ方向および前記幅方向の両方に延びる弾性フィルムを備える、請求項１１に記載の製品のアレイ。
【請求項１３】
内部の前記使い捨てパンツ型吸収性物品のサイズを表示する外部マークが、パッケージの上に設けられる、請求項１〜１２のいずれか１項に記載の製品のアレイ。
【請求項１４】
使い捨てパンツ型吸収性物品は、パンツ型おむつまたは生理用パンツまたは失禁用パンツである、請求項１〜１３のいずれか１項に記載の製品のアレイ。
【国際調査報告】
2019536549.tif 000009
2019536549.tif 000010
2019536549.tif 000011
2019536549.tif 000012
2019536549.tif 000013